(57)【要約】【課題】登録されている利用区間の両端の２つの駅でない他の駅において入場した登録者に対して、該登録者が有効に利用できる配信情報を送信することにより、登録者に対するサービスを向上させた情報配信システムを提供する。【解決手段】情報配信装置２１は、登録者５が登録されている利用区間の両端の２つの駅でない他の駅において、退場したことを検出すると、該登録者５が登録されている利用区間の両端の２つの駅でない他の駅において、入場したときに配信する配信情報を作成し、該登録者５が登録されている利用区間の両端の２つの駅でない他の駅に入場したことを検出したとき、先に作成した配信情報を配信する。したがって、登録されている利用区間の両端の２つの駅でない他の駅において、入場した登録者５に対して、該登録者５が有効に利用できるタイミングで配信情報を配信することができ、登録者５に対するサービスの向上が図れる。【選択図】図１
2004005243.tif 000002
【特許請求の範囲】
【請求項１】
個人を識別する識別コード毎に、識別される個人の属性、および利用区間の両端の２つの駅を対応付けて記憶する個人情報記憶手段と、
上記識別コードで識別される個人毎に、上記利用区間の両端の２つの駅について、それぞれ入場時、および退場時別に、該個人の属性に適合する配信情報を作成する配信情報作成手段と、
上記識別コードで識別される個人毎に、上記配信情報作成手段が上記利用区間の両端の２つの駅について、それぞれ入場時、および退場時別に作成した上記配信情報を記憶する配信情報記憶手段と、
上記識別コードで識別される個人が上記利用区間の両端の２つの駅のいずれかにおいて入場、または退場したことが自動改札機で検出されたとき、上記配信情報記憶手段に記憶している該個人に対するの配信情報の中から、ここで検出した状況に応じた配信情報を予め指定されている配信先に配信する配信手段と、を備えた情報配信装置において、
上記配信情報作成手段は、上記識別コードで識別される個人が上記利用区間の両端の２つの駅でない他の駅において入場したことが自動改札機で検出されたとき、予め指定されている配信先に上記配信手段によって配信させる配信情報を例外時配信情報として作成する例外時配信情報作成機能を有し、
上記配信情報記憶手段は、上記配信情報に加えて上記例外時配信情報を上記識別コードで識別される個人毎に記憶する情報配信装置。
【請求項２】
上記配信情報作成手段は、上記識別コードで識別される個人が上記利用区間の両端の２つの駅でない他の駅において退場したことが自動改札機で検出されたとき、該個人について上記例外時配信情報作成機能を実行する請求項１に記載の情報配信装置。
【請求項３】
識別コードで識別される個人毎に、前回入場した駅を記憶する前回入場駅記憶手段を備え、
上記例外時配信情報作成手段は、上記前回入場駅記憶手段に記憶されている該当する個人が前回入場した駅近辺に関し、且つ上記属性情報に適合する配信情報を上記例外時配信情報作成機能に作成させる請求項２に記載の情報配信装置。
【請求項４】
個人を識別する識別コード毎に、識別される個人の属性、および利用区間の両端の２つの駅を対応付けて記憶する個人情報記憶手段と、
上記識別コードで識別される個人毎に、上記利用区間の両端の２つの駅について、それぞれ入場時、および退場時別に、該個人の属性に適合する配信情報を作成する配信情報作成手段と、
上記識別コードで識別される個人毎に、上記配信情報作成手段が上記利用区間の両端の２つの駅について、それぞれ入場時、および退場時別に作成した上記配信情報を記憶する配信情報記憶手段と、
上記識別コードで識別される個人が上記利用区間の両端の２つの駅のいずれかにおいて入場、または退場したことが自動改札機で検出されたとき、上記配信情報記憶手段に記憶している該個人に対するの配信情報の中から、ここで検出した状況に応じた配信情報を予め指定されている配信先に配信し、且つ該個人が上記利用区間の両端の２つの駅でない他の駅において入場したことが自動改札機で検出されたとき、上記配信情報記憶手段に記憶されている上記利用区間の両端の２つの駅の退場時用の配信情報をまとめて、予め指定された配信先に配信する配信手段と、を備えた情報配信装置。
【請求項５】
上記利用区間の両端の２つの駅でない他の駅は、該利用区間の両端の２つの駅間に存在する駅である請求項１〜４のいずれかに記載の情報配信装置。
【請求項６】
個人を識別する識別コード毎に、識別される個人の属性、および利用区間の両端の２つの駅を対応付けて記憶する個人情報記憶手段と、
上記識別コードで識別される個人毎に、上記利用区間の両端の２つの駅について、それぞれ入場時、および退場時別に、該個人の属性に適合する配信情報を作成する配信情報作成手段と、
上記識別コードで識別される個人が上記利用区間の両端の２つの駅のいずれかにおいて入場、または退場したことが自動改札機で検出されたとき、ここで検出した状況に応じた配信情報を上記配信情報作成手段により作成し、ここで作成した配信情報を予め指定されている配信先に配信し、且つ該個人が上記利用区間の両端の２つの駅でない他の駅において入場したことが自動改札機で検出されたとき、上記利用区間の両端の２つの駅について、それぞれ入場時に配信する配信情報を上記配信情報作成手段により作成し、ここで作成した上記利用区間の両端の２つの駅の入場時の配信情報をまとめて、予め指定されている配信先に配信する配信手段と、を備えた情報配信装置。
【発明の詳細な説明】
【０００１】
【発明の属する技術分野】
この発明は、会員登録した利用者に配信情報を配信する情報配信装置に関し、特に利用者が駅に入場、または駅から退場した際に該利用者の属性に適合する配信情報を配信する情報配信装置に関する。
【０００２】
【従来の技術】
従来、商品、店舗、イベント、ニュース、天気予報、交通情報等に関する配信情報を会員登録している利用者（以下、登録者と言う。）に配信する情報配信システムがあった。情報配信システムでは、会員登録時に利用者の属性を示す属性情報（年齢、性別、趣味、嗜好等）や、配信情報の配信先等を情報配信装置に登録する。情報配信装置は、登録者毎に属性情報に基づいて多数の配信依頼情報（企業や店舗等の広告主から登録者への配信を依頼された情報や、ニュース、天気予報、交通情報等）の中から該登録者の趣味、嗜好に適合する配信依頼情報を抽出し、ここで抽出した配信依頼情報を含む配信情報を作成し、登録されている配信先に上記配信情報を配信していた。また、インタネットに接続できる携帯電話機等の携帯端末で利用している電子メールアドレス（以下、単にメールアドレスと言う。）を配信先として登録し、登録者の趣味、嗜好だけでなく、登録者の現在の居場所または行先（目的地）にも適合する配信情報を作成し、これを登録者に配信する情報配信システムが提案されている。
【０００３】
この情報配信システムには、通勤や通学等に定期券を利用している利用者を対象にしたものがある。この情報配信システムは、駅に設置されている自動改札機において、通路を通って駅に入場または駅から退場した利用者の定期券に記録されている識別コードを読み取る。通路を通った利用者は定期券の識別コードから識別できる。情報配信装置は、通路を通った利用者が登録者であるかどうか、登録者であれば識別コードを読み取った自動改札機が設置されている駅（登録者の現在の居場所）、さらには登録者が駅に入場または駅から退場したのか、等を判断し、これらの判断結果に応じた配信情報を登録者に配信する。
【０００４】
駅に入場した利用者の目的地は、殆どの場合、入場した駅の近辺ではなく、退場予定の駅の近辺である。また、駅から退場した利用者の目的地は、殆ど場合、退場した駅の近辺である。登録者にとって、出発地の情報より、これから向かう目的地の情報の方が、その後の行動に役に立つ場合が多い。そこで、情報配信装置は、登録者に対して、入退場した駅近辺に関する情報だけでなく、駅に入場した登録者に対してその目的地（退場する予定の駅）近辺の情報を配信することで、登録者に役に立つ情報を配信するようにしている。
【０００５】
駅に入場した登録者の目的地を判断するために、情報配信装置に登録者が主に乗降する２つの駅（利用区間の両端の２つの駅）を登録し、登録者が登録されている利用区間の一方の駅に入場したとき、該登録者の目的地を登録されている利用区間の他方の駅であると判断していた。この利用区間は、登録者が所有する定期券の有効区間と一致している場合が多い。そして、登録者が入場した場合に、その目的地に関する情報を配信するようにしている。
【０００６】
ところで、登録者が自動改札機の通路を通ってから、該登録者に配信する配信情報を該登録者の属性や目的地に基づいて作成し、該登録者に配信する方式がある。配信情報の作成には、所定の作成時間を要している。よって、この方式では、登録者が自動改札機を通過してから、情報配信装置が配信情報を登録者に配信するまでに所定の時間を要する。このため、駅に入場した登録者の場合、駅に入場した直後に配信情報を配信することができず、該登録者が電車に乗ってしまった後に、携帯端末に配信情報を配信することが多い。公共の交通機関を利用する上で、電車内での携帯端末の利用はマナーの面からあまり好ましいことではないとされているので、ほとんどの登録者は電車を降りてから乗車中に配信されてきた配信情報を確認する。
【０００７】
一方、多くの登録者は、目的地に到着してからの行動予定を電車に乗車している間に検討している。乗車中に該行動予定を検討する場合、登録者は駅の入場にともなって情報配信装置から配信されてきた目的地に関する配信情報を確認していないので、降車後の行動予定の検討に駅の入場にともなって情報配信装置から配信されてくる目的地に関する配信情報を利用していない。登録者が電車に乗車する前に、配信情報を配信することができれば、電車の待ち時間に配信した配信情報の内容を該登録者に確認させることができる。
【０００８】
また、駅から退場した登録者の場合、配信情報が情報配信装置から配信されてきたときには、退場した駅近辺から離れた場所に移動している可能性が高い。このため、情報配信装置から配信されてきた配信情報が登録者にとって非常に興味のある有益な情報であっても、登録者が該情報に対して行動を起こすときに、退場した駅近辺に引き返す必要が生じることがある。
【０００９】
このように、自動改札機の通路を登録者が通過したことを検出してから、該登録者に配信する配信情報を作成し、配信する方式では、登録者が有効に利用できるタイミングで配信情報を配信することができず、登録者が配信情報を確認したときには、その配信情報を活用できるタイミングを逸していることがあった。
【００１０】
また、登録者が有効に利用できるタイミングで配信情報を配信するために、登録者毎に目的地に関する配信情報を予め作成する方式が提案されている。具体的には、一般的な定期券の利用者が、１日あたり、
▲１▼自宅近くの駅に入場、
▲２▼会社、または学校近くの駅から退場、
▲３▼会社、または学校近くの駅に入場、
▲４▼自宅近くの駅から退場、
の合計４回、自動改札機の通路を通過することを考慮し、上記▲１▼〜▲４▼について、登録者毎に配信する配信情報を予め作成しておくことが提案されている。この方式では、登録者が自動改札機の通路を通過したことを検出すると、情報配信装置が該登録者に対してすぐに配信情報を配信できる。したがって、登録者が有効に利用できるタイミングで配信情報を配信することができ、利用者に対するサービスの向上が図れる。
【００１１】
なお、上記自宅近くの駅、および会社または学校近くの駅が、情報配信装置に登録されている登録者の利用区間の両端の２つの駅である。
【００１２】
この種の情報配信システムとしては、例えば特開平８−１８５２３号の公報、国際公開番号　ＷＯ　０２／３３６０９のパンフレット、において提案されている。
【００１３】
【発明が解決しようとする課題】
しかしながら、登録者が定期券を利用して利用区間内の途中駅で入場、または退場することがあった。途中駅で入場した登録者については、目的地が明らかでないとの理由から、該登録者に対して配信情報を配信していなかった。
【００１４】
また、途中駅で入場または退場した登録者に対して配信情報を配信するには、途中駅での入場または退場を検出してから、配信する配信情報を作成しなければならない。よって、配信情報の作成に時間を要するため、上述のように登録者が有効に利用できるタイミングで配信情報を配信することができない。
【００１５】
なお、利用区間内の途中駅での登録者の入場、または退場の検出については、登録者が定期券を自動改札機に投入するので、該自動改札機において定期券の識別コードを読み取ることで行える。
【００１６】
この発明の目的は、登録されている利用区間の両端の２つの駅でない他の駅において入場した登録者に対して、該登録者の目的地近辺に関する配信情報を配信する情報配信システムを提供することにある。
【００１７】
また、この発明は、登録されている利用区間の両端の２つの駅でない他の駅において入場した登録者に対して、配信情報を迅速に送信することにより、自動改札機を通過した時刻に対して、登録者が有効に利用できる時機に、配信情報を配信する情報配信システムを提供することを目的とする。
【００１８】
【課題を解決するための手段】
この発明の情報配信システムは、上記課題を解決するために以下の構成を備えている。
【００１９】
（１）個人を識別する識別コード毎に、識別される個人の属性、および利用区間の両端の２つの駅を対応付けて記憶する個人情報記憶手段と、
上記識別コードで識別される個人毎に、上記利用区間の両端の２つの駅について、それぞれ入場時、および退場時別に、該個人の属性に適合する配信情報を作成する配信情報作成手段と、
上記識別コードで識別される個人毎に、上記配信情報作成手段が上記利用区間の両端の２つの駅について、それぞれ入場時、および退場時別に作成した上記配信情報を記憶する配信情報記憶手段と、
上記識別コードで識別される個人が上記利用区間の両端の２つの駅のいずれかにおいて入場、または退場したことが自動改札機で検出されたとき、上記配信情報記憶手段に記憶している該個人に対するの配信情報の中から、ここで検出した状況に応じた配信情報を予め指定されている配信先に配信する配信手段と、を備えた情報配信装置において、
上記配信情報作成手段は、上記識別コードで識別される個人が上記利用区間の両端の２つの駅でない他の駅において入場したことが自動改札機で検出されたとき、予め指定されている配信先に上記配信手段によって配信させる配信情報を例外時配信情報として作成する例外時配信情報作成機能を有し、
上記配信情報記憶手段は、上記配信情報に加えて上記例外時配信情報を上記識別コードで識別される個人毎に記憶する。
【００２０】
この構成では、個人情報記憶手段が、識別コード毎に識別される個人（登録者）の属性や利用区間の両端の２つの駅を対応づけて記憶している。上記属性は登録者の趣味、嗜好、年齢、性別等の情報であり、上記利用区間は登録者が主に電車に乗降する２つの駅である。配信情報作成手段が登録者毎に、上記利用区間の両端の２つの駅について、それぞれ入場時、および退場時別に、配信情報を作成する。具体的には、多数の配信依頼情報（企業や店舗等の広告主から登録者への配信を依頼された情報や、ニュース、天気予報、交通情報等）の中から該登録者の趣味、嗜好、さらには目的地に適合する配信依頼情報を抽出し、ここで抽出した配信依頼情報を含む配信情報を作成する。
【００２１】
配信情報記憶手段が、利用区間の両端の２つの駅について、それぞれ入場時、および退場時別に作成された配信情報を登録者毎に記憶し、配信手段が利用区間の両端の２つの駅のいずれかにおいて、登録者の入場または退場が自動改札機で検出されたとき、ここで検出された状況に応じた配信情報を登録者に配信する。これにより、利用区間の両端の２つの駅のいずれかにおいて、入場または退場した登録者に対してすぐに配信情報を配信することができる。
【００２２】
また、配信情報作成手段は、利用区間の両端の２つの駅でない他の駅において登録者の入場が自動改札機で検出されたとき、該登録者に配信する配信情報を例外時配信情報として例外時配信情報作成機能に作成させる。ここで作成された例外時配信情報は配信情報記憶手段に記憶される。このため、登録者が利用区間の両端の２つの駅でない他の駅に入場したときにも、該登録者が有効に利用できるタイミングで配信情報を配信することができ、登録者に対するサービスの向上が図れる。
【００２３】
（２）上記配信情報作成手段は、上記識別コードで識別される個人が上記利用区間の両端の２つの駅でない他の駅において退場したことが自動改札機で検出されたとき、該個人について上記例外時配信情報作成機能を実行する。
【００２４】
この構成では、登録者が利用区間の両端の２つの駅でない他の駅において退場したことが自動改札機で検出されると、例外時配信情報抽出機能を実行し、この登録者が利用区間の両端の２つの駅でない他の駅において入場したときに、配信する例外時配信情報を作成する。通常、利用区間の両端の２つの駅でない他の駅において退場した登録者は、退場した駅付近での用事を済ませた後、前回退場した駅に入場する。
【００２５】
利用区間の両端の２つの駅でない他の駅において入場した登録者に配信する例外時配信情報については、該登録者が利用区間の両端の２つの駅でない他の駅において退場したときに作成することで、利用区間の両端の２つの駅でない他の駅において入場する可能性が極めて低い登録者についてまで例外時配信情報を作成するのを防止でき、装置本体の負荷の増加を抑えられる。
【００２６】
また、登録者が退場した駅付近での用事を処理している間に、この登録者についての例外時配信情報が作成されるので、該登録者が利用区間の両端の２つの駅でない他の駅において入場したときに、すぐに例外時配信情報を配信することができる。
【００２７】
なお、配信情報送信手段は、登録者が入場した利用区間の両端の２つの駅でない他の駅が、前回登録者が退場した駅でなくても、例外時配信情報作成機能により作成された配信情報を配信してもよい。
【００２８】
（３）識別コードで識別される個人毎に、前回入場した駅を記憶する前回入場駅記憶手段を備え、
上記例外時配信情報作成手段は、上記前回入場駅記憶手段に記憶されている該当する個人が前回入場した駅近辺に関し、且つ上記属性情報に適合する配信情報を上記例外時配信情報作成機能に作成させる。
【００２９】
この構成では、利用区間の両端の２つの駅でない他の駅に入場した登録者の目的地を、前回（最後に）入場した駅であると予測し、該予測に基づいて例外時配信情報作成機能に配信情報を作成させる。通常、交通機関を利用して移動する場合、その区間を往復する可能性が極めて高い。このため、利用区間の両端の２つの駅でない他の駅に入場した登録者の目的地を、前回入場した駅であるとして例外時配信情報を作成することにより、登録者の行動に応じた情報の配信が行える。
【００３０】
（４）個人を識別する識別コード毎に、識別される個人の属性、および利用区間の両端の２つの駅を対応付けて記憶する個人情報記憶手段と、
上記識別コードで識別される個人毎に、上記利用区間の両端の２つの駅について、それぞれ入場時、および退場時別に、該個人の属性に適合する配信情報を作成する配信情報作成手段と、
上記識別コードで識別される個人毎に、上記配信情報作成手段が上記利用区間の両端の２つの駅について、それぞれ入場時、および退場時別に作成した上記配信情報を記憶する配信情報記憶手段と、
上記識別コードで識別される個人が上記利用区間の両端の２つの駅のいずれかにおいて入場、または退場したことが自動改札機で検出されたとき、上記配信情報記憶手段に記憶している該個人に対するの配信情報の中から、ここで検出した状況に応じた配信情報を予め指定されている配信先に配信し、且つ該個人が上記利用区間の両端の２つの駅でない他の駅において入場したことが自動改札機で検出されたとき、上記配信情報記憶手段に記憶されている上記利用区間の両端の２つの駅の退場時用の配信情報をまとめて、予め指定された配信先に配信する配信手段と、を備えている。
【００３１】
この構成では、利用区間の両端の２つの駅でない他の駅において入場した登録者に対して、上記利用区間の両端の２つの駅の退場時用の配信情報をまとめて配信するようにした。これにより、利用区間の両端の２つの駅でない他の駅に入場した登録者の行動に応じた情報の配信が略確実に行え、登録者に対するサービスの向上が図れる。
【００３２】
（５）上記利用区間の両端の２つの駅でない他の駅は、該利用区間の両端の２つの駅間に存在する駅である。
【００３３】
この構成では、利用区間の両端の２つの駅でない他の駅を、利用区間の両端の２つの駅間に存在する駅（以下、途中駅と言う。）とすることにより、定期券の利用者を対象にした情報配信システムであれば、利用区間の両端の２つの駅でない他の駅で入場または退場する登録者の検出が、特別な構成を設けることなく自動改札機で行える。
【００３４】
（６）個人を識別する識別コード毎に、識別される個人の属性、および利用区間の両端の２つの駅を対応付けて記憶する個人情報記憶手段と、
上記識別コードで識別される個人毎に、上記利用区間の両端の２つの駅について、それぞれ入場時、および退場時別に、該個人の属性に適合する配信情報を作成する配信情報作成手段と、
上記識別コードで識別される個人が上記利用区間の両端の２つの駅のいずれかにおいて入場、または退場したことが自動改札機で検出されたとき、ここで検出した状況に応じた配信情報を上記配信情報作成手段により作成し、ここで作成した配信情報を予め指定されている配信先に配信し、且つ該個人が上記利用区間の両端の２つの駅でない他の駅において入場したことが自動改札機で検出されたとき、上記利用区間の両端の２つの駅について、それぞれ入場時に配信する配信情報を上記配信情報作成手段により作成し、ここで作成した上記利用区間の両端の２つの駅の入場時の配信情報をまとめて、予め指定されている配信先に配信する配信手段と、を備えている。
【００３５】
この構成では、利用区間の両端の２つの駅でない他の駅において入場した登録者に対して、上記利用区間の両端の２つの駅について、それぞれ入場時に配信する配信情報が作成され、ここで作成された上記利用区間の両端の２つの駅の入場時の配信情報をまとめて配信する。
【００３６】
多くの場合、利用区間の両端の２つの駅でない他の駅において入場した登録者の目的地は、利用区間の両端の２つの駅のいずれか一方である。このため、上記利用区間の両端の２つの駅について、それぞれ入場時に配信する配信情報をまとめて配信することにより、登録者の目的地が利用区間の両端の２つの駅のどちらであっても、該登録者の目的地に応じた情報の配信が行える。したがって、利用区間の両端の２つの駅でない他の駅において入場した登録者についても、該登録者の行動に応じた情報の配信が確実に行え、登録者に対するサービスの向上が図れる。
【００３７】
【発明の実施の形態】
以下、この発明の実施形態である情報配信装置について説明する。
【００３８】
図１は、この発明の実施形態である情報配信装置を適用した情報配信システムの構成を示す図である。図１において、１は駅であり、２は情報配信センタである。駅１には、自動改札機１１、自動精算機１２、券売機１３等が設置されている。また、自動改札機１１、自動精算機１２、券売機１３は、駅１における乗降客を管理するホスト装置１４に接続されている。ホスト装置１４は、専用線または公衆回線網３を介して図示していない鉄道会社のサーバ装置に接続されている。情報配信センタ２には、この発明の実施形態である情報配信装置２１が設置されている。駅１に設置されているホスト装置１４、および情報配信センタ２に設置されている情報配信装置２１は、公衆回線網３を介してインタネット４に接続できる。また、ホスト装置１４と情報配信装置２１とは、通信可能に構成されている。ホスト装置１４と情報配信装置２１との通信路は、専用線であってもよいし、公衆回線網３やインタネット４を介した経路であってもよい。
【００３９】
また、図１において、５は利用者（登録者）であり、６は該利用者５が所有する携帯電話機であり、７は利用者５が所有する定期券である。携帯電話機６は、インタネット４に接続する機能を有し、インタネット４を介して電子メールの送受信が行えるようにメールアドレスが付与されている。定期券７には、利用者５を識別する識別コード、有効期間、有効区間等の情報が記憶されている（図２参照）。
【００４０】
この実施形態の情報配信システムは、定期券７の利用者５を対象にしたシステムであるとして、以下説明する。自動改札機１１の通路を通って駅に入場、または退場した利用者５の識別に、自動改札機１１に投入された定期券７に記憶されている識別コードを利用している。
【００４１】
なお、以下の説明において利用者５という場合は、駅１への入場、または退場に定期券７を利用する人を指し、登録者５という場合は情報配信装置２１に後述する属性情報が登録されている人を指す。
【００４２】
図３は、この発明の実施形態である情報配信装置の構成を示すブロック図である。情報配信装置２１は、本体の動作を制御する制御部２１１と、企業や店舗等の広告主から登録者への配信を依頼された広告、ニュース、天気予報、交通情報等、様々な種類の情報（以下、配信以来情報と言う。）を多数記憶した配信依頼情報記憶部２１２と、登録者５毎に定期券７の識別コードに対応付けて氏名、年齢、性別、趣味、嗜好等の属性情報や、利用区間を示す両端の２つの駅等、登録者の個人情報を記憶する個人情報記憶部２１３と、登録者５毎に作成された配信情報を記憶する配信情報記憶部２１４と、配信情報を登録者５に配信（送信）する配信部２１５と、他の機器から送信されてきた情報を受信する受信部２１６と、を備えている。
【００４３】
個人情報記憶部２１３には、図４に示すように、登録者５毎に識別コード（定期券７の識別コード）に対応付けて、登録者５の氏名、年齢、性別、職業、配信を希望する配信情報の種別、配信を希望しない配信情報、列車の時刻表配信の要／不要、列車の遅延案内配信の要／不要、配信情報の配信先（携帯電話機６のメールアドレス）、乗車時の配信希望の有無、降車時の配信希望の有無、主に利用する乗車区間（この発明で言う、利用区間の両端の２つの駅）、自宅の電話番号、勤務先の電話番号等が個人情報として記憶されている。
【００４４】
なお、定期券７を利用している利用者５であっても、この個人情報記憶部２１３に個人情報が記憶されていない利用者５は登録者５ではない。
【００４５】
配信依頼情報記憶部２１２に記憶されている配信依頼情報の中には、インタネット４を介して取得した情報もある。配信依頼情報記憶部２１２に記憶されている配信依頼情報には、配信してもよい登録者５と、配信を禁止する登録者５とを区別するための配信条件が付けられている。この配信条件は、配信依頼情報の提供者である広告主が自由に設定できる。例えば、女性向けの配信依頼情報を提供する場合、配信する登録者５を女性に限定する配信条件を付けることで、男性に配信されないようにできる。また、年齢層（２０代、３０代等）や、配信回数等も配信条件として付けることができる。
【００４６】
図５は、配信依頼情報記憶部に記憶されている配信依頼情報の例を示す図である。配信依頼情報記憶部２１２は、配信条件（図５（Ａ）参照）と配信依頼情報（図５（Ｂ）参照）とを対応づけて記憶している。また、配信依頼情報には該配信依頼情報を識別する配信依頼情報番号が与えられている。図５（Ａ）に示す配信条件の例は、配信依頼情報を配信してもよい登録者５を、女性で、年齢が２０〜２９歳に制限した例である。また、配信依頼情報の有効期間は２００１年９月１日〜２００１年１０月３１日の期間である。この有効期間を過ぎると、この配信依頼情報が登録者５に配信されることはない。配信制限回数は３００回であり、延べ３０１人以上の登録者５に配信されることはない。さらに、配信依頼情報番号はＫ０００１である。
【００４７】
自動改札機１１は、適正な乗車券（定期券、キップ、プリペイドカード等）を所持していない利用者の駅構内への入場、または駅構内からの退場を制限する装置である。自動精算機１２は乗り越しした利用者５が駅構内から退場するために乗り越し分の運賃を精算し、精算券を取得するための装置である。券売機１３は、これから駅構内に入場する利用者５が乗車区間に応じたキップを購入するための装置である。
【００４８】
図６はこの発明の実施形態である自動改札機の構成を示すブロック図であり、図７は同自動改札機の外観を示す図である。
【００４９】
自動改札機１は、本体の動作を制御する制御部１１１と、動作時に利用する情報や、動作時に発生した情報を記憶する記憶部１１２と、現在の時間を計時する計時部１１３と、ホスト装置１４へ情報を出力する送信部１１４と、定期券、キップ、プリペイドカード等の乗車券が本体に投入されたことを検出する投入検出部１１５と、本体に投入された乗車券を搬送する搬送部１１６と、搬送されている乗車券に記録されている磁気データを読み取る読取部１１７と、利用者６の通行を制限する扉１１８ａを開閉する扉駆動部１１８とを備えている。自動改札機１１は、扉１１８ａを閉じることにより、該自動改札機１１により構成された通路を閉鎖して、利用者５の駅１への入場または駅１からの退場（通路の通行）を禁止する。
【００５０】
自動改札機１１は、通路の入口の右側に乗車券を投入する投入口１１６ａを備え、出口の右側に本体に投入された乗車券を放出する放出口１１６ｂを備えている。投入口１１６ａと放出口１１６ｂとの間には、乗車券を搬送する搬送路１１６ｃが設けられている。また、搬送路１１６ｃの途中には、投入口１１６ａに投入されたキップや精算券を回収ボックス（不図示）に搬送するための回収路（不図示）、および投入口１１６ａに投入された乗車券の搬送先を放出口１１６ｂまたは回収ボックスのどちらかに切り換える、搬送路切換機構部（不図示）が設けられている。投入口１１６ａには、乗車券の投入を検知する投入検知センサ１１５ａが設けられている。この投入検知センサ１１５ａが乗車券の投入を検知すると、搬送部１１６が投入口１１６ａに投入された乗車券を放出口１１６ｂへ搬送する。また、磁気ヘッド１１７ａは搬送路１１６ｃを搬送されている乗車券に記録されている磁気データを読み取る。
【００５１】
入場用の自動改札機１１は図７に示す通行方向が駅構内に向かう方向に設置され、退場用の自動改札機１１は図７に示す通行方向が駅構内から外側に向かう方向に設置される。また、記憶部１１４には、自装置を識別するゲートコード、や自装置が入場用であるか、退場用であるかを示す入退場情報が記憶されている。
【００５２】
なお、入場用の自動改札機１１と退場用の自動改札機１１とを通路を挟んで対向して配置することにより、１本の通路を双方向（入場方向、および退場方向）の通行に利用できる。
【００５３】
以下、この発明の実施形態である情報配信装置の動作について説明する。
【００５４】
情報配信装置１は、駅１に入場、または駅１から退場する利用者５がいない夜間（電車が運行していない時間）に、登録者５毎に該登録者５の登録されている利用区間の両端の２つの駅について、それぞれ入場時に配信する配信情報、および退場時に配信する配信情報を作成する。
【００５５】
例えば、Ａ駅とＢ駅とが利用区間の両端の２つの駅である登録者５の場合、
▲１▼Ａ駅入場時に配信する配信情報、
▲２▼Ｂ駅退場時に配信する配信情報、
▲３▼Ｂ駅入場時に配信する配信情報、
▲４▼Ａ駅退場時に配信する配信情報、の合計４つの配信情報が作成される。
【００５６】
Ａ駅入場時に配信する配信情報は、配信依頼情報記憶部２１２に記憶されている配信依頼情報の中から、Ｂ駅（目的地）近辺の情報であって、且つ個人情報記憶部２１３に記憶されている登録者５の趣味、嗜好に適合した配信依頼情報を抽出し、ここで抽出した配信依頼情報を含む配信情報を作成する。また、Ｂ駅退場時に配信する配信情報は、配信依頼情報記憶部２１２に記憶されている配信依頼情報の中から、Ｂ駅（目的地）近辺の情報であって、且つ個人情報記憶部２１３に記憶されている登録者５の趣味、嗜好に適合した配信依頼情報を抽出し、ここで抽出した配信依頼情報を含む配信情報を作成する。
【００５７】
なお、情報配信装置２１はＡ駅入場時に配信する配信情報と、Ｂ駅退場時に配信する配信情報と、に同じ配信依頼情報が含まれないように、配信情報を作成する。
【００５８】
また、Ｂ駅入場時に配信する配信情報は、配信依頼情報記憶部２１２に記憶されている配信依頼情報の中から、Ａ駅（目的地）近辺の情報であって、且つ個人情報記憶部２１３に記憶されている登録者５の趣味、嗜好に適合した配信依頼情報を抽出し、ここで抽出した配信依頼情報を含む配信情報を作成する。また、Ａ駅退場時に配信する配信情報は、配信依頼情報記憶部２１２に記憶されている配信依頼情報の中から、Ａ駅（目的地）近辺の情報であって、且つ個人情報記憶部２１３に記憶されている登録者５の趣味、嗜好に適合した配信依頼情報を抽出し、ここで抽出した配信依頼情報を含む配信情報を作成する。
【００５９】
なお、情報配信装置２１はＡ駅退場時に配信する配信情報と、Ｂ駅入場時に配信する配信情報と、に同じ配信依頼情報が含まれないように、配信情報を作成する。
【００６０】
配信情報記憶部２１４は、登録者５毎に上記処理で作成された配信情報を記憶する。配信情報記憶部２１４は、図８に示すように、登録者５に配信する配信情報を記憶するデータベースを駅１毎に分割している。各データベースには、対応する駅１が利用区間の両端の２つの駅の一方である登録者５について、識別コードに対応付けて、入場時に配信する配信情報および退場時に配信する配信情報が記憶されている。例えば、Ａ駅のデータベースには、登録されている利用区間の両端の２つの駅の一方がＡ駅である各登録者５について、識別コードに対応付けて入場時に配信する配信情報と、退場時に配信する配信情報と、が記憶されている。
【００６１】
また、配信情報記憶部２１４には、図９に示す途中駅入場時データベースが設けられている。この途中駅入場時データベースには、利用区間の両端の２つの駅でない他の駅で退場したことを検出した登録者５について、識別コードに対応付けて、利用区間の両端の２つの駅でない他の駅で入場したときに配信する配信情報が記憶される。
【００６２】
次に、利用者５が駅１に入場または駅１から退場したときの動作について説明する。図１０は、情報配信装置の動作を示すフローチャートである。
【００６３】
利用者５は、定期券７を自動改札機１１の投入口１１６ａに投入し、自動改札機１１の通路を通って、駅１に入場または駅１から退場する。自動改札機１１は、本体に投入された定期券７から、識別コード、有効期間、有効区間等の情報を読み取り、通路の通行を許可するかどうかを判定し、この判定結果に応じて通路を開放／閉鎖する扉１１８ａの開閉を制御する。自動改札機１１は、利用者５の通行を許可した場合、本体に投入された定期券７から読み取った、識別コード、自機を識別するゲートコード、利用者５が駅１に入場したのか、駅１から退場したのかを示す入退場情報を含む通過情報をホスト装置１４に送信する。ホスト装置１４は、この自動改札機１１からの通過情報を情報配信装置２１に転送する。
【００６４】
以下、図１０を参照しながら情報配信装置２１の動作について説明する。
【００６５】
情報配信装置２１は、自動改札機１１からホスト装置１４を介して通過情報が送信されてくると（ｓ１）、該通過情報に含まれている識別コードから自動改札機１１の通路を通った利用者５が登録者５であるかどうかを判定する（ｓ２）。情報配信装置２１は、ｓ２で登録者５でないと判定すると、ｓ１に戻る。
【００６６】
情報配信装置２１は、ｓ２で登録者５であると判定すると、ｓ１で受信した通過情報に含まれている入退場情報から登録者５が駅１に入場したのか、退場したのかを判定し（ｓ３）、駅１に入場したと判定した場合にｓ４で該登録者５について最終入場駅を今回入場した駅１に更新する（ｓ４）。登録者５が入場した駅１は、通過情報に含まれているゲートコードにより特定される。
【００６７】
なお、各登録者５の最終入場駅は、個人情報として個人情報記憶部２１３に記憶するようにしてもよいし、また別に記憶領域を設けてもよい。
【００６８】
情報配信装置２１は、ｓ３で退場であると判定した場合、またはｓ４で最終入場駅を更新すると、登録者５が入場、または退場した駅が、登録されている利用区間の両端の２つの駅のいずれか一方であるかどうかを判定する（ｓ５）。ｓ５では、自動改札機１１からホスト装置１４を介して受信した自動改札機１１のゲートコードから登録者５が入場した駅１を特定し、該駅１が登録されている利用区間の両端の２つの駅の一方と一致するかどうかを判定する。情報配信装置２１は、ｓ５で利用区間の両端の２つの駅の一方であると判定すると、配信情報記憶部２１４に設けられている、登録者５が入場、または退場した駅１のデータベースから、この登録者５に配信する配信情報を読み出す（ｓ６）。ｓ６では、入場、退場に応じた配信情報が読み出される。情報配信装置２１は、ｓ６で読み出した配信情報を、登録されている配信先に電子メールで配信（送信）し（ｓ７）、ｓ１に戻る。
【００６９】
このように、登録されている利用区間の両端の２つの駅のいずれか一方において、入場または退場した登録者５については、予め作成され配信情報記憶部２１４に記憶されていた配信情報が配信される。したがって、登録されている利用区間の両端の２つの駅のいずれか一方において、入場または退場した登録者５に対して、自動改札機１１の通路の通過を検出すると、すぐに配信情報を配信することができる。これにより、利用区間の両端の２つの駅の一方において、自動改札機１１の通路を通って入場、または退場した登録者５に対して、該登録者５が有効に利用できるタイミングで配信情報を配信することができる。
【００７０】
情報配信装置２１は、上記ｓ５で登録者５が入場、または退場した駅１が登録されている利用区間の両端の２つの駅のどちらでもないと判定すると、この登録者５が駅１から退場しているときには途中駅退場処理を実行し（ｓ８、ｓ９）、反対に入場しているときには途中駅入場処理を実行する（ｓ８、ｓ１０）。
【００７１】
なお、ここでは、登録者５所有している定期券７の有効区間と、情報配信装置２１に登録されている該登録者５の利用区間とが同じ区間であることを前提にしている。
【００７２】
定期券７の有効区間内に存在する全ての駅１において、利用者５は該定期券７を自動改札機１１に投入することにより、駅１への入場、および駅１からの退場が許可される。このため、情報配信装置２１は、定期券７の有効区間内に存在する駅１であれば、登録者５が定期券７を自動改札機１１に投入するので、有効区間内に存在するどの駅１であっても登録者５の入場、または退場を自動改札機１１で検出することができる。
【００７３】
なお、ここで言う途中駅は、利用区間の両端の２つの駅間に存在するいずれかの駅である。
【００７４】
次に、ｓ９にかかる途中駅退場処理について説明する。図１１は途中駅退場処理を示すフローチャートである。情報配信装置２１は、途中駅で退場が検出された登録者５について、最終入場駅を取得する（ｓ１１）。ｓ１１で取得される最終入場駅は、通常、この登録者５が今回退場した途中駅に来るときに入場した駅１である。情報配信装置２１は、ｓ１１で取得した最終入場駅を目的地とし、この登録者５の属性に適合する配信情報（この発明で言う、例外時配信情報）を作成する（ｓ１２）。ｓ１２では、配信依頼情報記憶部２１２に記憶されている配信依頼情報の中から、最終入場駅（目的地）近辺の情報であって、且つ個人情報記憶部２１３に記憶されている登録者５の趣味、嗜好に適合した配信依頼情報を抽出し、ここで抽出した配信依頼情報を含む配信情報を作成する。
【００７５】
ｓ１２では、最終入場駅を目的地とした配信情報を作成することから、最終入場駅が利用区間の両端の２つの駅の一方であった登録者５の場合、目的地が同じ配信情報を電車が運行されていない夜間に既に作成している。このため、情報配信装置２１は、既に作成している配信情報と同じにならないように、新たな配信情報を作成する。
【００７６】
また、ｓ１２では時間経過に伴う配信依頼情報の変化を反映させた、配信情報を作成することができる。
【００７７】
情報配信装置２１は、ｓ１２で配信情報を作成すると、ここで作成した配信情報と、登録者５の識別コードとを対応付けて、図９に示した途中駅入場時データベースに記憶し（ｓ１３）、本処理を終了する。
【００７８】
この実施形態では、上記のように途中駅で退場した登録者５に対して配信情報を配信していないが、登録者５が途中駅で退場したことを検出してから、該途中駅を目的地とする配信情報を作成し、ここで作成した配信情報を登録者５の携帯電話機６に配信するようにしてもよい。
【００７９】
また、情報配信装置２１は、登録者５が今回退場した途中駅、または他の途中駅に入場したとき、該登録者が今回退場した途中駅に来るときに入場した駅（最終入場駅）に戻ると予測し、上記途中駅退場処理において目的地を最終入場駅とした配信情報を作成している。
【００８０】
また、登録者５は何らかの用事があって途中駅で退場している。そのため、途中駅から退場した登録者が、再び途中駅に入場するまでには、時間的余裕がある。このため、配信情報の作成には十分な時間が与えられ、余裕を持って配信情報を作成することができるので、情報処理能力の低い装置で配信情報を作成しても不都合が生じることはない。
【００８１】
次に、ｓ１０にかかる途中駅入場処理について説明する。図１２は途中駅入場処理を示すフローチャートである。情報配信装置２１は、途中駅で入場が検出された登録者５について、途中駅入場時データベースに配信情報が記憶されているかどうかを判定する（ｓ２１）。情報配信装置２１は、途中駅入場時データベースに配信情報が記憶されていなければ、本処理を終了する。登録者５が途中駅で退場していない場合に、途中駅入場時データベースに配信情報が記憶されていない。例えば、登録者５がタクシー等の他の交通手段を利用して、今回入場した途中駅付近に移動してきていた場合に、途中駅入場時データベースに配信情報が記憶されていない。
【００８２】
反対に、途中駅入場時データベースに配信情報が記憶されていると、この配信情報を読み出し（ｓ２２）、登録されている配信先に電子メールで配信（送信）し（ｓ２３）、本処理を終了する。
【００８３】
このとき、登録者５に配信される配信情報は、上記説明から明らかなように、退場した途中駅に来るときに入場した駅（最終入場駅）を目的地としたものである。
【００８４】
このように、この実施形態の情報配信システムは、利用区間の両端の２つの駅がＡ駅と、Ｂ駅である登録者５の場合（図１３（Ａ）参照）、Ａ駅またはＢ駅において入場、または退場したときに予め作成されている配信情報が配信される。また、利用区間であるＡ駅とＢ駅との間に存在するＣ駅（途中駅）で退場したときに、この登録者５について途中駅入場時に配信する配信情報を作成し、この登録者５がＣ駅に入場したときにＣ駅退場時に作成した配信情報を配信する（図１３（Ｂ）参照）。さらに、登録者５が途中駅退場後に入場した途中駅がＣ駅でなく、Ｄ駅であった場合（図１３（Ｃ）参照）も、Ｃ駅退場時に作成した配信情報を配信する。
【００８５】
情報配信装置２１から配信情報が配信された登録者５の携帯電話機６の表示部には、この配信情報の内容が表示される（図１４参照）。
【００８６】
このように、この実施形態の配信情報システムは、途中駅で入場した登録者５について、自動改札機１１の通路の通過を検出すると、予め作成してある（途中駅退場時に作成した）配信情報を、すぐに配信することができる。したがって、途中駅で入場した登録者５に対して、該登録者５が有効に利用できるタイミングで配信情報を配信することができ、登録者５に対するサービスの向上が図れる。
【００８７】
また、上記実施形態では途中駅退場時に、登録者５の途中駅入場時に配信する配信情報として、最終入場駅を目的地とした配信情報を作成するとしたが、利用区間の両端の２つの駅を目的地とする配信情報を作成し、これを途中駅入場時データベースに記憶するようにしてもよい。
【００８８】
また、登録者５について利用区間の両端の２つの駅について、それぞれ作成されている入場時用の配信データ２つを纏めて途中駅入場時データベースに記憶してもよいし、または利用区間の両端の２つの駅について、それぞれ作成されている退場時用の配信データ２つを纏めて途中駅入場時データベースに記憶してもよい。この場合、登録者５の途中駅退場時に新たに配信情報を作成する必要がないので、情報配信装置２１における負荷を抑えることができる。この場合、登録者５の途中駅退場時に新たに配信情報を作成していないので、途中駅において入場した登録者５が利用区間の両端の２つの駅のいずれかにおいて退場したとき、該登録者５に配信情報を配信しないようにしてもよい。このようにすれば、登録者５に同じ配信情報が配信されるのを防止できる。
【００８９】
また、上記実施形態では登録者５が途中駅で退場したときに、該登録者５が途中駅に入場した時に配信する配信情報を作成するとしたが、該登録者５が途中駅に入場したことを検出したときに、利用区間の両端の２つの駅を目的地とする配信情報（利用区間の両端の２つの駅の入場時に配信する配信情報、または利用区間の両端の２つの駅の退場時に配信する配信情報）を作成し、ここで作成した配信情報を該登録者５の携帯電話機６に配信するようにしてもよい。このようにすれば、タクシー等の他の移動手段で移動した登録者５（途中駅で退場していない登録者５）についても、途中駅に入場したときに利用区間の両端の２つの駅を目的地とする配信情報を配信することができる。
【００９０】
なお、途中駅において入場した登録者５の目的地は、多くの場合、利用区間の両端の２つの駅のいずれか一方であることから、該登録者５に対して目的地に応じた配信情報を略確実に配信することができる。
【００９１】
なお、定期券７の有効区間が、登録されている利用区間を含む区間である登録者５の場合には、定期券７の有効区間内の駅であれば、利用区間外の駅であっても、上記実施形態で説明した途中駅と同様に、退場時に途中駅入場時に配信する配信情報を作成することができ、また入場時に配信情報を配信することができる。また、登録者５を識別するために、登録者５毎に識別コードを記憶させた登録カードを発行し、駅１への入退場時に乗車券（定期券７やキップ等）とこの登録カードを自動改札機１に投入させるように構成した情報配信システムであれば、利用区間の両端の２つの駅以外の駅を上記途中駅とした処理が行える。
【００９２】
【発明の効果】
以上のように、この発明によれば、登録されている利用区間の両端の２つの駅でない他の駅において、入場した登録者に対して該登録者の目的地に応じた配信情報を略確実に配信することができるので、登録者に対するサービスの向上が図れる。
【００９３】
また、登録されている利用区間の両端の２つの駅でない他の駅において、入場した登録者に対して該登録者が有効に利用できるタイミングで、且つ該登録者の目的地に応じた配信情報を配信することができ、登録者に対するサービスの一層の向上が図れる。
【図面の簡単な説明】
【図１】この発明の実施形態である情報配信装置を適用した情報配信システムの構成を示す図である。
【図２】定期券に記録されている情報を説明する図である。
【図３】この発明の実施形態である情報配信装置の構成を示すブロック図である。
【図４】情報配信装置に記憶されている個人情報を示す図である。
【図５】配信依頼情報を説明する図である。
【図６】自動改札機の構成を示すブロック図である。
【図７】自動改札機の外観を示す図である。
【図８】配信情報記憶部の構成を示す図である。
【図９】配信情報記憶部の構成を示す図である。
【図１０】情報配信装置の動作を示すフローチャートである。
【図１１】途中駅退場処理を示すフローチャートである。
【図１２】途中駅入場処理を示すフローチャートである。
【図１３】途中駅退場、および途中駅入場を説明する図である。
【図１４】携帯電話機の表示部における表示例を示す図である
【符号の説明】
１−駅
２−情報配信センタ
１１−自動改札機
２１−情報配信装置
【図１】
2004005243.tif 000003
【図２】
2004005243.tif 000004
【図３】
2004005243.tif 000005
【図４】
2004005243.tif 000006
【図５】
2004005243.tif 000007
【図６】
2004005243.tif 000008
【図７】
2004005243.tif 000009
【図８】
2004005243.tif 000010
【図９】
2004005243.tif 000011
【図１０】
2004005243.tif 000012
【図１１】
2004005243.tif 000013
【図１２】
2004005243.tif 000014
【図１３】
2004005243.tif 000015
【図１４】
2004005243.tif 000016